(57)【要約】【課題】  本体機器にオプション機器を接続していない状態のときには、サブ電源に商用電源から電力が供給されないようにして、従来よりも無駄な電力消費を削減した電子機器を提供する。【解決手段】  本体機器１に対してオプション機器２が着脱可能に設けられるとともに、本体機器１に電力を供給するメイン電源５と、オプション機器２に電力を供給するサブ電源６とが一体的に設けられてなる電源部４を有し、この電源部４の商用電源３からの電力を受電してサブ電源６に供給する電源線７の途中にはリレー回路１１が設けられ、このリレー回路１１は、オプション機器２の本体機器１に対する着脱に応じてオン／オフされるようにしている。【選択図】  図１
2008193857.tif 000002
【特許請求の範囲】
【請求項１】
オプション機器を着脱可能な接続部と、
自機器に電力を供給するメイン電源と、前記オプション機器装着時に電力を供給するサブ電源とが一体的に設けられてなる電源部と、
前記電源部の商用電源からの電力を受電して前記サブ電源に供給する電源線の途中に設けられ、前記オプション機器の前記接続部に対する着脱に応じてオン／オフするリレー回路と
を備えることを特徴とする電子機器。
【請求項２】
前記電源線は、前記メイン電源を経由して前記サブ電源に接続されており、前記リレー回路は、前記メイン電源内に位置する前記電源線の途中に設けられている請求項１記載の電子機器。
【発明の詳細な説明】
【技術分野】
【０００１】
本発明は、本体機器に対してオプション機器が着脱可能に設けられるとともに、各機器に対して個別に電力を供給する電源が設けられている電子機器に関する。
【背景技術】
【０００２】
従来の電子機器には、本体機器に対してオプション機器を着脱可能に設けた構成のものがある。例えば、複写機、プリンタ、複合機等の画像形成装置においては、印刷処理を行う本体機器に対して、印刷処理後の用紙のパンチングやステイプルなどのフィニッシャ処理を行うためのオプション機器を着脱自在に設けたものがある。
【０００３】
このような装置では、本体機器とオプション機器にそれぞれ電力を供給する必要があるが、本体機器における使用電力とオプション機器における使用電力とが互いに異なることがあり、そのため、各機器の電力効率を考慮して、電源部内において、本体機器に適合した電力を供給するメイン電源と、オプション機器に適合した電力を供給するサブ電源とを設けた構成が採用されることがある。
【発明の開示】
【発明が解決しようとする課題】
【０００４】
ところで、従来技術では、本体機器に対するオプション機器の着脱の有無に関わらず、いずれの場合もサブ電源に商用電源からの電力が受電されるようになっている。このため、サブ電源を構成するトランス、放電抵抗、コンデンサなどにリーク電流が流れ、数Ｗ程度の無駄な電力が消費されている。このような無駄な電力消費は、特に、省電力モードなどの機器全体の消費電力を抑えたいモードを設定したい場合の障害となっている。
【０００５】
本発明は、上記の課題を解決するためになされたもので、本体機器にオプション機器が装着された場合にのみサブ電源に商用電源から電力が供給されるようにすることで、従来よりも無駄な電力消費を削減した電子機器を提供することを目的とする。
【課題を解決するための手段】
【０００６】
本発明の電子機器は、本体機器に対してオプション機器が着脱可能に設けられるとともに、前記本体機器に電力を供給するメイン電源と、前記オプション機器に電力を供給するサブ電源とが一体的に設けられてなる電源部を有し、この電源部の商用電源からの電力を受電して前記サブ電源に供給する電源線の途中にはリレー回路が設けられ、このリレー回路は、前記オプション機器の前記本体機器に対する着脱に応じてオン／オフするものであることを特徴としている。
【０００７】
この場合、前記電源線は前記メイン電源を経由して前記サブ電源に接続され、前記リレー回路は、前記メイン電源内に位置する前記電源線の途中に設けられている構成とすることができる。
【発明の効果】
【０００８】
本発明によれば、本体機器にオプション機器が装着されているときには、通常通りサブ電源は商用電源からの電力を受電して所定の電圧に変換してオプション機器に電力を供給するが、本体機器からオプション機器が取り外されたときには、これに応じてリレー回路がオフ動作してサブ電源への商用電源からの電力供給が完全に遮断される。これにより、サブ電源内の回路素子にリーク電流が流れて無駄な電力が消費されるのを確実に防止することができる。このため、省電力モードなどの機器全体の消費電力を抑えたいモードを設定したい場合にも適切に対応することができる。
【０００９】
特に、メイン電源の電源線から分岐してサブ電源が接続されている構成の場合でも、メイン電源側にあるリレー回路をオフにするため、サブ電源内にリーク電流が流れることが無くなり、無駄な電力消費を確実に削減することができる。
【発明を実施するための最良の形態】
【００１０】
図１は本発明の実施の形態における電子機器の一例としての画像形成装置の全体構成を示すブロック図である。
【００１１】
この実施の形態における画像形成装置は、複写機、プリンタ、複合機等の本体機器１に対して、印刷処理後の用紙のパンチングやステイプルなどのフィニッシャ処理を行うためのオプション機器２が接続部３０にて着脱可能に設けられるとともに、商用電源３からの電力を受電して所定の電圧に変換する電源部４を備えている。
【００１２】
この電源部４は、本体機器１に対して電力を供給するメイン電源５と、オプション機器２に対して電力を供給するサブ電源６とが予め一体的に設けられている。
【００１３】
ここに、メイン電源５は、本例では２つのＡＣフィルタ５１，５２、整流回路５３、およびスイッチングレギュレータ回路５４を有し、２つのＡＣフィルタ５１，５２間の電源線７に、ヒータ制御回路５５を介して定着ヒータ８及び除湿ヒータ９が接続されている。なお、ヒータ制御回路５５はそれぞれのヒータに対して別々に設けられても良い。また、スイッチングレギュレータ回路５４の出力側に本体機器１が接続されている。
【００１４】
また、サブ電源６は、ＡＣフィルタ６１、整流回路６２、およびスイッチングレギュレータ回路６３を有する。そして、オプション機器２を本体機器１に取り付ける際には、オプション機器２が同時にサブ電源６のスイッチングレギュレータ回路６３の出力側に接続される。
【００１５】
さらに、メイン電源５のＡＣフィルタ５１，５２間の電源線７は分岐されてサブ電源６のＡＣフィルタ６１に接続されるとともに、この電源線７のメイン電源５内に位置する箇所にリレー回路１１が設けられている。
【００１６】
このリレー回路１１は、電源線７をオン／オフするノーマルオフ形のスイッチ部１１ａと、このスイッチ部１１ａを作動する電磁コイル１１ｂとを有し、電磁コイル１１ｂは一端側がメイン電源５のスイッチングレギュレータ回路５４の出力部に接続され、他端側が接続部３０にて本体機器１にオプション機器２を接続した際に同時に接続されるコネクタ１２を介してグランドに接続されている。
【００１７】
したがって、上記構成において、オプション機器２を本体機器１に装着した際には、オプション機器２がサブ電源６に接続されるとともに、コネクタ１２にも接続されるので、リレー回路１１の電磁コイル１１ｂが通電されてスイッチ部１１ａがオンする。このため、サブ電源６は商用電源３からの電力を電源線７を通じて受電して所定の電圧に変換してオプション機器２に電力を供給する。
【００１８】
一方、本体機器１からオプション機器２が取り外されたときには、サブ電源６との接続が切り離されると同時に、本体機器１とオプション機器２間のコネクタ１２の接続も切り離されるので、リレー回路１１の電磁コイル１１ｂの通電が遮断されてスイッチ部１１ａがオフになる。このため、サブ電源６に対して電源線７を通じた商用電源３からの電力供給が停止される。
【００１９】
このように、本体機器１からオプション機器２が取り外されたときには、同時にリレー回路１１がオフになってサブ電源６への電力供給が停止されるので、従来のように、オプション機器２を使用していない状態でもサブ電源６内の回路素子にリーク電流が流れて無駄な電力が消費されるといったロスを確実に防止することができる。したがって、省電力モードなどの機器全体の消費電力を抑えたいモードを設定したい場合にも適切に対応することができる。
【００２０】
特に、この実施の形態のようにメイン電源５内部の電源線７から分岐してサブ電源６が接続されている構成の場合でも、メイン電源５側にあるリレー回路１１をオフにするため、サブ電源６内に確実にリーク電流が流れることが無くなり、無駄な電力消費を削減することができる。
【００２１】
なお、上記の実施の形態では、本体機器１に対してオプション機器２を着脱する際にコネクタ１２も同時に着脱されることでリレー回路１１がオン／オフするようにしているが、これに限らず、例えば、本体機器１に対するオプション機器２の着脱状態を光学的に検出し、その検出出力によってリレー回路１１をオン／オフすることも可能である。
【００２２】
また、上記の実施の形態では、電子機器として複写機、プリンタ、複合機等の画像形成装置を例にとって説明したが、本発明はこのような画像形成装置に限定されるものではなく、本体機器１に対してオプション機器２が着脱可能に設けられるとともに、本体機器１に電力を供給するメイン電源５と、オプション機器２に電力を供給するサブ電源６とが一体的に設けられている電子機器に対して本発明を広く適用することが可能である。
【図面の簡単な説明】
【００２３】
【図１】本発明の実施の形態における電子機器の一例としての画像形成装置の全体構成を示すブロック図である。
【符号の説明】
【００２４】
１    本体機器
２    オプション機器
３    商用電源
４    電源部
７    電源線
１１    リレー回路
１２    コネクタ
３０    接続部
【図１】
2008193857.tif 000003